(57)【特許請求の範囲】
【請求項１】
受板上に保持されるドレイン本体の中心に一致させて該受板上に立設される支持杆と、
前記ドレイン本体に乗載され、支持杆が挿通される厚み方向の貫通孔が形成された抜き型体と、
前記貫通孔に挿通されて抜き型体から上方へ突出する支持杆のその突出部に着脱自在に装着され、抜き型体の上面に当接してその高さ位置を保持する保持手段と
を備えたドレイン用抜き型体保持装置において、
前記抜き型体を、金属板からなる略深皿状の型本体と、該型本体に被着され、その上部開口を遮蔽する金属板からなる蓋体とによって構成し、
前記抜き型体の型本体に、離脱操作用の工具が係合される係止部を、貫通孔を中心として１８０°異なる位置に二箇所設け、
さらに前記二つの係止部を、型本体の底面部に設けられた、係合端部が両側方に突出する略Ｔ字形下端を備えた離脱操作用の工具を上方から挿通し得る矩形状の係合孔と、該係合孔の左右両側位置に下方突成されて、係合孔に挿通して９０度回動させた状態の工具の係合端部を規制する複数の規制突起とにより構成したことを特徴とするドレイン用抜き型体保持装置。
【発明の詳細な説明】
【０００１】
【発明の属する技術分野】
本発明は、ルーフドレイン等のドレイン本体上に所定形状の排水溝を形成する抜き型体を、コンクリートの打設前に、ドレイン本体と共に保持するドレイン用抜き型体保持装置に関する。
【０００２】
【従来の技術】
ルーフドレイン等のドレイン本体上に所定形状の排水溝を形成するために、ドレイン本体上に抜き型体を配設し、該ドレイン本体と抜き型体の周囲にコンクリートが打設される。この施工において、ドレイン本体と抜き型体とがコンクリートの打込み圧によって動かないように、ドレイン本体と抜き型体とをコンクリート受板上に保持するドレイン用抜き型体保持装置が用いられる。
【０００３】
このドレイン用抜き型体保持装置の抜き型体は、特開平 8-13718号公報に開示されているような発泡スチロール製のものと、発泡ウレタンゴム製のものが現在一般的に使用されており、発泡スチロール製の抜き型体は、打設したコンクリートの硬化後に、抜き型体にバール等の適宜の工具で孔をあけ、該孔に手を掛けて抜き型体を引き上げることにより、周囲のコンクリートから簡単に離脱させることができる。
【０００４】
一方、発泡ウレタンゴム製の抜き型体を用いるドレイン用抜き型体保持装置は、図８に示すように、コンクリート受板ａに挿通したボルトからなる螺子杆ｃの下端をナットｂで固定して該螺子杆ｃを受板ａ上に立設し、該螺子杆ｃの周面に形成した螺条ｄと螺合させて作動体ｅを上下方向に移動可能に設ける一方、抜き型体ｆに前記作動体ｅを遊挿する貫通孔ｇを形成し、さらに作動体ｅの下縁には支承鍔ｈを形成して、前記抜き型体ｆの貫通孔ｇに下方から作動体ｅを嵌装してその支承鍔ｈで抜き型体ｆを支持させている。そして、前記作動体ｅの上部から突出した操作部ｉの回動操作により、前記作動体ｅを螺子杆ｃに対して昇降し得るようにしたものであり、コンクリート打設時には、作動体ｅの上部に配設した押止部材ｊと下部の支承鍔ｈとで、抜き型体ｆを挟持して支持し、コンクリートが硬化した後に、前記押止部材ｊを除去し、作動体ｅを回転させて上昇させ、これに伴って抜き型体ｆを上昇させてコンクリートｐから離脱させることができるようになっている。
【０００５】
【発明が解決しようとする課題】
上述の構成のドレイン用抜き型体保持装置にあっては、抜き型体ｆが発泡ウレタンゴム製であることにより、複数回の施工に使用することができるのであるが、構造が複雑で部品点数が多く、また、抜き型体ｆの離脱操作は、作動体ｅの操作部ｉをスパナ等の工具によって回動させることによって、螺子杆ｃと螺合された作動体ｅをその螺進作用を介して上昇させ、抜き型体ｆを引き上げるものであるため、型抜き作業に時間がかかるという問題点がある。
【０００６】
これに対して、発泡スチロール製の抜き型体は、上述したようにバール等で孔をあけて、該孔に手を掛けて抜き型体を引き上げることにより、その型抜き作業を迅速に行うことができるのであるが、抜き型体が破壊されるため、一回限りの使い捨てとなり、繰り返して使用できないという問題点がある。
【０００７】
さらに、近年、資源の有効活用の機運が高まり、各種産業界においてもリサイクル可能な製品の開発が進められているが、従来の発泡スチロール製や発泡ウレタンゴム製の抜き型体は、何れも使用後にゴミとして廃棄処理されており、リサイクル性に欠けるという問題点がある。
【０００８】
また、従来の発泡スチロール製や発泡ウレタンゴム製の抜き型体にあっては、中実体であるため、嵩張って運搬や保管に場所をとるといった問題点があった。
【０００９】
本発明は、このような従来の問題点を解消し得るドレイン用抜き型体保持装置の提供を目的とするものである。
【００１０】
【課題を解決するための手段】
本発明は、受板上に保持されるドレイン本体の中心に一致させて該受板上に立設される支持杆と、前記ドレイン本体に乗載され、支持杆が挿通される厚み方向の貫通孔が形成された抜き型体と、前記貫通孔に挿通されて抜き型体から上方へ突出する支持杆のその突出部に着脱自在に装着され、抜き型体の上面に当接してその高さ位置を保持する保持手段とを備えたドレイン用抜き型体保持装置において、前記抜き型体を、金属板からなる略深皿状の型本体と、該型本体に被着され、その上部開口を遮蔽する金属板からなる蓋体とによって構成し、前記抜き型体の型本体に、離脱操作用の工具が係合される係止部を、貫通孔を中心として１８０°異なる位置に二箇所設け、さらに前記二つの係止部を、型本体の底面部に設けられた、係合端部が両側方に突出する略Ｔ字形下端を備えた離脱操作用の工具を上方から挿通し得る矩形状の係合孔と、該係合孔の左右両側位置に下方突成されて、係合孔に挿通して９０度回動させた状態の工具の係合端部を規制する複数の規制突起とにより構成したことを特徴とするドレイン用抜き型体保持装置である。
【００１１】
このように、本発明は、抜き型体の型本体に、硬化したコンクリートからの離脱操作用の工具が係合される係止部を具備しているものである。
【００１２】
かかる構成にあって、型本体と蓋体とが金属板によって形成されていることにより、抜き型体に強度があり、複数回の使用が可能となる。また、金属製であるためリサイクルが可能であり、さらに、複数個を重ね合わせることができるため、運搬や保管時に嵩張らず、場所をとらない。また、型本体の係止部に工具を係合して上方に引き上げ得るので、硬化したコンクリートからの離脱操作を容易に行うことができる。
【００１３】
【発明の実施の形態】
図１〜図３は、本発明に係るドレイン用抜き型体保持装置の一実施例を示す。
【００１４】
ここでドレイン本体１は、受皿部２と該受皿部２の下面から下方突成された排水管部３とからなる。このドレイン本体１は、排水管部３の周囲下面と、受板４間に筒状スペーサ５を介装して、受板４上に支持される。そして前記ドレイン本体１の周囲で受板４上にコンクリート６を打設する前に、前記ドレイン本体１上に抜き型体７が乗載され、後述の保持手段８により保持される。尚、前記筒状スペーサ５は、所要のコンクリート厚に対応する長さに形成されたものが用いられる。
【００１５】
前記抜き型体７は、略深皿状の型本体７ａと、該型本体７ａに着脱可能に被着されて、その上部開口を遮蔽する蓋体７ｂとからなり、金属板の絞り加工によって、施工成形する排水溝の形状に合致した形状となるように形成されている。この型本体７ａと蓋体７ｂを構成する金属板としては、スチール，ステンレス，アルミ等の材質を用いることができる。実施例では、安価で加工し易くリサイクル性に富んだスチール鋼板が用いられており、外表面に亜鉛メッキ等の防錆処理が施されている。また、型本体７ａは、上記のような絞り加工に代えて、鋳造によって成形するようにしてもよい。この場合には、絞り加工に比して型代が安価となる利点がある。
【００１６】
抜き型体７を構成する型本体７ａと蓋体７ｂには、その略中心位置に上下で一致する貫通孔９ａ，９ｂが夫々形成されており、該貫通孔９ａ，９ｂに後述の支持杆１９を厚み方向に挿通し得るようになっている。また、型本体７ａには、貫通孔９ａを中心として１８０°異なる位置に係止部１０，１０が設けられている。各係止部１０，１０は、図４〜図６に示すように、両側方に突出する係合端部を具備した略Ｔ字形下端を備える離脱操作用の工具１１を上方から挿通し得る矩形状の係合孔１２を備え、さらに、該係合孔１２の左右両側に、工具１１を挿通状態で略９０度回動させたときに位置規制する複数の規制突起１３を備えてなり、この係止部１０，１０に工具１１の係合端部を係合させて上方に引き上げることにより、硬化したコンクリート６からの型本体７ａの型抜きを行い得るようになっている。さらに、型本体７ａの下面には、シールリング１４の嵌挿溝１５が形成されている。
【００１７】
一方、前記受板４の所定位置には、筒状スペーサ５の内径とほぼ等しい外径の位置決め板１６が釘等により固定される。該位置決め板１６には円板状金属板の周縁に上向きの曲げ加工を施して係止縁１６’が設けられている。そして該係止縁１６’に前記筒状スペーサ５の下縁が外嵌され、ドレイン本体１の乗載位置が定められる。これにより前記筒状スペーサ５の上縁に支持されるドレイン本体１はその位置及び高さが決定されることとなる。
【００１８】
また、前記位置決め板１６の中心にナット１７を固着してそのナット孔を上下方向に延在する保持螺子孔１８としている。
【００１９】
この位置決め板１６の中心に配設された保持螺子孔１８には、上下に長い支持杆１９の下端部に形成した雄螺子部１９ａを上方から螺着することにより、該支持杆１９を受板４上に立設するようにしている。この実施例では、支持杆１９は、前記雄螺子部１９ａに連続する雄螺子部１９ｂを全長に亘って形成した螺子杆によって構成されている。
【００２０】
前記支持杆１９には、抜き型体７の蓋体７ｂの上面に当接してその高さ位置を保持する保持手段８が着脱自在に装着される。該保持手段８は、蝶ナット２０によって構成されており、該蝶ナット２０を支持杆１９の雄螺子部１９ｂに螺合して回動することにより、保持手段８が支持杆１９に対してその螺進作用を介して昇降及び着脱可能となっている。
【００２１】
次にその施工方法につき説明する。
【００２２】
上述のように釘等により受板４上に位置決め板１６を固定し、該位置決め板１６に筒状スペーサ５を外嵌し、該筒状スペーサ５上にドレイン本体１を同心状に乗載する。そして、支持杆１９の下端の雄螺子部１９ａを位置決め板１６の保持螺子孔１８に螺合して該支持杆１９を立設させる。
【００２３】
次に、抜き型体７を構成する型本体７ａの貫通孔９ａに前記支持杆１９の上端を挿通し、該型本体７ａをドレイン本体１上に乗載する。この時、型本体７ａの嵌挿溝１５にシールリング１４を予め嵌着しておき、型本体７ａの乗載操作によって、該シールリング１４をドレイン本体１の受皿部２の外周縁に外嵌させる。これにより、コンクリート６の打設時に、該コンクリート６が型本体７ａと受皿部２との間からドレイン本体１内に流入することが防止される。然る後、蓋体７ｂの貫通孔９ｂに支持杆１９の上端を挿通し、該蓋体７ｂを型本体７ａに被着してその上部開口を遮蔽する。これにより、コンクリート６の打設時に、該コンクリート６の型本体７ａ内への流入を防止する養生作用が得られる。
【００２４】
そして、前記蓋体７ｂの貫通孔９ｂから上方へ突出した支持杆１９の雄螺子部１９ｂに、保持手段８としての蝶ナット２０を螺合し、その螺進作用を介して下方移動させ、蓋体７ｂの上面に押圧状態で当接させる。
【００２５】
これにより、前記支持杆１９を介して、筒状スペーサ５，ドレイン本体１及び抜き型体７が受板４上で連結され位置保持されることとなる。
【００２６】
かかる状態で、前記ドレイン本体１及び抜き型体７の周囲で受板４上にコンクリート６を打設する。この時、筒状スペーサ５，ドレイン本体１及び抜き型体７が上記のように連結され位置保持されていることにより、コンクリート６の打込み圧によってずれ動くことがない。また、抜き型体７の型本体７ａには、蓋体７ｂが被着され、その上部開口が遮蔽されていることにより、型本体７ａ内に打設時のコンクリート６が入り込むことがない。そして、この打設コンクリート６が硬化するまで所定時間放置されることとなる。尚、このコンクリート６の硬化に伴ないコンクリート６上面に浮き水が滲出するのであるが、この時点で、蓋体７ｂを型本体７ａから取り外すようにしてもよい。このように蓋体７ｂを取り外すことにより、浮き水が型本体７ａに流入し、該型本体７ａに形成されている係合孔１２から前記浮き水を下方に排水することができる。
【００２７】
次に抜き型体７の型抜き作業について説明する。
【００２８】
まず、コンクリート６が硬化したら、蝶ナット２０を締付け方向と反対方向に回転させて支持杆１９から取り外し、次いで、型本体７ａから蓋体７ｂを取り外す。この時、支持杆１９も締付け方向と反対方向に回転させて位置決め板１６から取り外してもよい。
【００２９】
この状態において、型本体７ａの係止部１０，１０に工具１１を夫々係合させる。この係合操作は、両係止部１０の各係合孔１２に略Ｔ字形に形成された工具１１を差込んで略９０度回動させることにより行われる。これにより、工具１１が係合孔１２に係合され、かつ規制突起１３に当接して位置規制されることとなる。そして、工具１１を介して型本体７ａを上方に引き上げることにより、周囲のコンクリート６から型本体７ａを即座に離脱させることができる。ここで、型本体７ａの外周面に予め剥離剤を塗布しておくと、コンクリート６が外周面に固結し難いため、その型抜き作業をさらに容易に行うことができる。
【００３０】
そして、かかる施工後には、ドレイン本体１の上面周囲に、型本体７ａの周囲形状に合致した排水溝を形成することができる。また、シールリング１４によって受皿部２の外周縁部に形成された環状溝にはコーキング剤が充填される。
【００３１】
また、抜き型体７は、金属製の型本体７ａと蓋体７ｂとによって構成されているため、複数回の使用が可能であり、型本体７ａと蓋体７ｂとが分割されていることにより、使用によって抜き型体７の内部が汚れた場合には、容易に洗浄することができる。
【００３２】
尚、実施例では、抜き型体７の型本体７ａに係合孔１２を形成して係止部１０としたが、ペンチ等の工具で挟持し得る突起を型本体７ａから上方突成して、係止部１０としてもよい。この場合には、浮き水排水用の透孔が型本体７ａに別途形成される。
【００３３】
また、実施例では、蝶ナット２０を保持手段８に用いた場合について説明したが、その他の保持手段８としては、本願出願人が実開平 5-81448号で提案した図７イ，ロに示すような構成のもの等を適用することができる。
【００３４】
これらは、支持杆１９の上部をロッド状の被摺動部１９ｃとし、該被摺動部１９ｃに上方から摺動自在に外嵌される固定具２６を支持杆１９の所定位置で固定可能に設けたものであって、このような保持手段８を用いると、支持杆１９の上端から固定位置までのねじ込みによる螺進操作が不要であるため、保持手段８の着脱を迅速に行ない得る利点がある。
【００３５】
【発明の効果】
本発明は、上述のように、受板４上に保持されるドレイン本体１の、その上面に乗載される抜き型体７を、金属板からなる略深皿状の型本体７ａと、該型本体７ａに被着され、その上部開口を遮蔽する金属板からなる蓋体７ｂとによって形成したものであるから、抜き型体７に強度があり、複数回の使用が可能である。また、金属製であるためリサイクルが可能であり、さらに、型本体７ａ相互及び蓋体７ｂ相互を複数個重ね合わせることができるため、運搬や保管時に嵩張らず、場所をとらない。また、型本体７ａに、離脱操作用の工具が係合される係止部１０を設けたので、硬化したコンクリートからの離脱操作を容易に行い得る等の優れた効果がある。
【図面の簡単な説明】
【図１】本発明に係るドレイン用抜き型体保持装置の施工状態を示す縦断正面図である。
【図２】同上のドレイン用抜き型体保持装置の平面図である。
【図３】同上のドレイン用抜き型体保持装置の縦断側面図である。
【図４】係止部１０部分の拡大平面図である。
【図５】係止部１０部分の拡大側断面図である。
【図６】係止部１０の規制突起１３を示す拡大側断面図である。
【図７】他の保持手段８を示す側断面図である。
【図８】従来構成の側断面図である。
【符号の説明】
１  ドレイン本体
４  受板
７  抜き型体
７ａ  型本体
７ｂ  蓋体
８  保持手段
９ａ，９ｂ  貫通孔
１２  係合孔
１９  支持杆
【図１】
0004160684.tif 000002
【図２】
0004160684.tif 000003
【図３】
0004160684.tif 000004
【図４】
0004160684.tif 000005
【図５】
0004160684.tif 000006
【図６】
0004160684.tif 000007
【図７】
0004160684.tif 000008
【図８】
0004160684.tif 000009